(57)【要約】【課題】球通路が遊技球で満タン状態のときに皿ユニットを開放しても、遊技球が飛散しにくくなる遊技機を提供する。【解決手段】パチンコ機１０は、球通路７０の満タン状態を検出する満タン検出器１４０と、皿ユニット４０が開放されたときに満タン検出器１４０を満タン検出位置に保持する保持ユニット１００と、を有している。ここで、球通路７０がパチンコ球ＰＢで満タンの状態で何らかのトラブルが発生して皿ユニット４０を開放する場合、保持ユニット１００のレバー部材１０５が、満タン検出器１４０の操作部１６４を満タン検出位置に保持する。このため、球通路７０が満タン状態であるとする検出情報が制御基板８８へ送られ、払出装置６２からのパチンコ球の払い出しは停止される。これにより、球通路７０が満タン状態のときに皿ユニット４０を開放しても、パチンコ球ＰＢが飛散しにくくなる。【選択図】図９
2008246124.tif 000002
【特許請求の範囲】
【請求項１】
遊技球により遊技が行われる遊技盤が固定された遊技機本体と、
前記遊技機本体に設けられ、遊技球を払い出す球払出手段と、
前記球払出手段から払い出され前記遊技盤へ向けて発射される遊技球が貯留される上皿と、前記上皿で貯留しきれない遊技球が貯留される下皿と、前記上皿で貯留しきれない遊技球を前記下皿に流下させる球通路と、が一体に形成され、前記遊技機本体の前面に開放可能に取り付けられた皿ユニットと、
前記球通路に設けられ、前記球通路に滞留した遊技球に押されて満タン検出位置へ移動し、前記下皿が遊技球で満タンであることを検出する検出手段と、
前記検出手段の検出情報に基づいて前記球払出手段における遊技球の払い出しを停止する制御手段と、
前記皿ユニットが開放されたときに、前記検出手段を前記満タン検出位置に保持する保持手段と、
を有することを特徴とする遊技機。
【請求項２】
前記検出手段は、
遊技球に押されて前記満タン検出位置へ回動する回動部材と、
前記回動部材に設けられ手動で該回動部材を前記満タン検出位置へ回動可能とする操作部と、
前記回動部材が前記満タン検出位置へ移動するとオンとなるスイッチと、で構成され、
前記保持手段は、
前記皿ユニットに回動可能に取付けられた回動部と、
前記回動部から張り出し前記操作部を押圧可能な第１アームと、
前記第１アームが前記操作部を押圧し、前記回動部材を前記満タン検出位置へ回動させる方向へ、前記回動部を付勢するバネ部材と、
前記回動部から張り出し、前記遊技機本体に当接して、前記第１アームを前記操作部から離れる方向へ回動させる第２アームと、
を有することを特徴とする請求項１に記載の遊技機。
【請求項３】
前記検出手段で満タン検出されたときに前記制御手段によって作動され、遊技者に満タン状態を音声で知らせる満タン告知手段と、
前記保持手段が前記検出手段を満タン検出位置に保持していることを検出して、前記制御手段に伝達する伝達手段と、を設け、
前記制御手段が、前記伝達手段の検出情報に基づいて、前記満タン告知手段を停止することを特徴とする請求項１又は請求項２に記載の遊技機。
【発明の詳細な説明】
【技術分野】
【０００１】
本発明は、遊技球貯留量が満タンか否かを検出して遊技球の払い出し動作を制御する遊技機に関する。
【背景技術】
【０００２】
パチンコ機等の遊技機における遊技球貯留量の満タン状態を検出する技術として、球皿構造体（皿ユニット）の遊技球貯留量が満タンとなったときに主流通路から溢れ出た遊技球が貯まる満タン検出通路を設け、さらに、満タン検出通路に球受体を設けて、溢れ出た遊技球が球受体に搭載されることにより満タン検出を行うものがある（例えば、特許文献１参照）。
【０００３】
特許文献１の遊技機は、満タン検出通路に遊技球が貯まったとき、遊技球の重さで球受体が下方へ回転し、満タン検出器の可動スイッチ突起を押し下げて満タン検出している。
【特許文献１】特開２００５−１６０９５３号公報
【発明の開示】
【発明が解決しようとする課題】
【０００４】
しかし、特許文献１の遊技機は、皿ユニットが満タン状態のときに何らかのトラブルが発生して、皿ユニットを開放しなければならないとき、そのまま開放すると、遊技球の貯留状態が崩れ、可動スイッチ突起が元に戻り、保留されていた賞球払い出しが再開されて、払い出された遊技球が遊技機外へ飛散することがあった。
【０００５】
本発明は、上記事実を考慮して、球通路が遊技球で満タン状態のときに皿ユニットを開放しても、遊技球が飛散しにくくなる遊技機を提供することを目的とする。
【課題を解決するための手段】
【０００６】
本発明の請求項１に係る遊技機は、遊技球により遊技が行われる遊技盤が固定された遊技機本体と、前記遊技機本体に設けられ、遊技球を払い出す球払出手段と、前記球払出手段から払い出され前記遊技盤へ向けて発射される遊技球が貯留される上皿と、前記上皿で貯留しきれない遊技球が貯留される下皿と、前記上皿で貯留しきれない遊技球を前記下皿に流下させる球通路と、が一体に形成され、前記遊技機本体の前面に開放可能に取り付けられた皿ユニットと、前記球通路に設けられ、前記球通路に滞留した遊技球に押されて満タン検出位置へ移動し、前記下皿が遊技球で満タンであることを検出する検出手段と、前記検出手段の検出情報に基づいて前記球払出手段における遊技球の払い出しを停止する制御手段と、前記皿ユニットが開放されたときに、前記検出手段を前記満タン検出位置に保持する保持手段と、を有することを特徴としている。
【０００７】
上記構成によれば、球払出手段から払い出された遊技球は上皿に貯留され、遊技盤へ向けて発射される。上皿で貯留しきれない遊技球は、球通路を流下して下皿に貯留される。
【０００８】
遊技者によって下皿が開放されず遊技球で満タンになると、球払出手段から流下する遊技球は球通路に貯留され、やがて球通路が満タン状態となる。
【０００９】
球通路が遊技球で満タン状態となると、検出手段が遊技球に押されて満タン検出位置へ移動し、下皿が満タンであることを検出する。この検出情報（満タン情報）に基づいて、制御手段が球払出手段の払い出しを停止する。
【００１０】
ここで、何らかのトラブルが発生したとき、球通路内が遊技球で満タンとなった状態で、皿ユニットを遊技機本体の前面に開放する場合がある。
【００１１】
皿ユニットが開放されると、開放したときの振動によって遊技球の貯留状態が変化し、部分的に空隙ができて、検出手段が満タン検出位置から移動し、満タン状態でないとする検出情報を制御手段へ送る恐れがある。
【００１２】
制御手段は、払出しが保留されていた遊技球を球払出手段から払い出させるため、ホールの床等に遊技球が飛散する。これにより、遊技者が本来得ることのできる遊技球の数が減少してしまうことになる。
【００１３】
しかし、本構成では、皿ユニットが開放されると、保持手段が、検出手段を満タン検出位置に保持する。このため、満タン状態であるとする検出情報が制御手段へ送られ、球払出手段からの遊技球の払い出しは停止されたままとなる。
【００１４】
これにより、球通路が遊技球で満タン状態のときに皿ユニットを開放しても、遊技球が飛散しにくくなる。
【００１５】
本発明の請求項２に係る遊技機は、前記検出手段は、遊技球に押されて前記満タン検出位置へ回動する回動部材と、前記回動部材に設けられ手動で該回動部材を前記満タン検出位置へ回動可能とする操作部と、前記回動部材が前記満タン検出位置へ移動するとオンとなるスイッチと、で構成され、前記保持手段は、前記皿ユニットに回動可能に取付けられた回動部と、前記回動部から張り出し前記操作部を押圧可能な第１アームと、前記第１アームが前記操作部を押圧し、前記回動部材を前記満タン検出位置へ回動させる方向へ、前記回動部を付勢するバネ部材と、前記回動部から張り出し、前記遊技機本体に当接して、前記第１アームを前記操作部から離れる方向へ回動させる第２アームと、を有することを特徴としている。
【００１６】
上記構成によれば、皿ユニットが遊技機本体に対して閉止された状態では、第２アームが遊技機本体に当接して、第１アームが回動部材の操作部から離れる方向へ回動部を回動させる。
【００１７】
これにより、回動部材は回動可能となる。この状態で球通路が遊技球で満タンとなると、回動部材は遊技球に押されて満タン検出位置へ回動し、スイッチをオンにする。
【００１８】
一方、皿ユニットが遊技機本体に対して開放された状態では、第２アームが遊技機本体に当接しないため、バネ部材の付勢力によって回動部が回動して第１アームが回動部材の操作部を押圧し、回動部材を満タン検出位置で保持する。
【００１９】
これにより、皿ユニットが開放された状態では、常にスイッチがオン状態となるので、球払出手段から遊技球が払い出されることがなくなり、ホール等に遊技球が飛散しにくくなる。
【００２０】
このように、皿ユニットが開放されたときに、簡易な構成で遊技球の払い出し停止を行える。
【００２１】
本発明の請求項３に係る遊技機は、前記検出手段で満タン検出されたときに前記制御手段によって作動され、遊技者に満タン状態を音声で知らせる満タン告知手段と、前記保持手段が前記検出手段を満タン検出位置に保持していることを検出して、前記制御手段に伝達する伝達手段と、を設け、前記制御手段が、前記伝達手段の検出情報に基づいて、前記満タン告知手段を停止することを特徴としている。
【００２２】
上記構成によれば、皿ユニットが閉止されている場合、保持手段は回動部材を満タン検出位置に保持しておらず、満タン告知手段は動作可能となっている。
【００２３】
これにより、球通路が遊技球で満タンになると、満タン告知手段が満タン状態を音声で遊技者に知らせる。遊技者は、下皿を開放するなどして遊技球を球通路から抜き、球通路の満タン状態が解消される。
【００２４】
一方、皿ユニットが開放されている場合、保持手段が回動部材を満タン検出位置に保持しており、伝達手段がこれを検出して制御手段に伝達する。そして、制御手段が、伝達手段の検出情報に基づいて満タン告知手段を停止する。
【００２５】
これにより、皿ユニットが開放された状態で、満タン状態が遊技者に知らされることがなくなるので、遊技者が誤って下皿を開放することがなくなり、遊技球の飛散を防ぐことができる。また、皿ユニットを開放して作業しているときに音声が出ないため、静かに作業できる。
【発明の効果】
【００２６】
本発明は、上記構成としたので、球通路が遊技球で満タン状態のときに皿ユニットを開放しても、遊技球が飛散しにくくなる。
【発明を実施するための最良の形態】
【００２７】
以下、本発明の第１実施形態に係る遊技機について図面を参照して説明する。
【００２８】
（パチンコ機の構成）
図１及び図２には、遊技機としてのパチンコ機１０が示されている。
【００２９】
図１及び図２に示すように、パチンコ機１０は、パチンコ機１０の外郭を構成するとともにパチンコホールの島設備に設置される矩形状の外枠１２を備えている。
【００３０】
外枠１２の前面には、合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００３１】
内枠１４は、外枠１２の左上角部と下飾り１６の左上角部とに設けられた一対のヒンジ部１８、２０に、左側端部が軸支されて開閉可能に取り付けられている。
【００３２】
内枠１４の前面上部には、パチンコ機１０の前面上部を構成するガラス枠２２が配置されている。ガラス枠２２には、縦長略楕円形の窓部２４にガラス板２６が装着されるとともに、左側端部が内枠１４に軸支されて開閉可能に取り付けられている。
【００３３】
ガラス枠２２の裏面側となる内枠１４の前面上部には、矩形状の開口部１５が形成されている。この内枠１４の開口部１５には、遊技盤Ｇが着脱（交換）可能にセットされている。
【００３４】
遊技盤Ｇは、内枠１４に対して閉塞されたガラス枠２２によって覆われている。また、遊技盤Ｇの盤面上に設けられた遊技領域ＰＡが、パチンコ機１０の正面側から窓部２４のガラス板２６を通して視認可能とされている。
【００３５】
ガラス枠２２の前面で左右の両側端部には、遊技の進行に応じて点灯、消灯、及び点滅し照明による演出を行う複数のランプ２８が配設されている。また、ガラス枠２２の左上と右上の各角部近傍に、遊技の進行に応じて効果音をステレオ出力する中高音用のスピーカ３０Ｌ、３０Ｒが内蔵されている。
【００３６】
一方、内枠１４の前面下部には、パチンコ機１０の前面下部を構成する皿ユニット４０が配置されている。
【００３７】
皿ユニット４０は、皿ユニット４０の本体部を構成するベース４１の左側端部が、内枠１４に軸支されて開閉可能に取り付けられている。
【００３８】
ベース４１の前面上部には、パチンコ球を遊技盤Ｇへ向けて発射するために貯留して発射装置６０へ供給する上皿４２が突設されている。また、ベース４１の前面下部における上皿４２の左下には、上皿４２に貯留しきれないパチンコ球を貯留するための下皿４４が突設されている。
【００３９】
上皿４２は、底面が正面視にて右側から左側へ向けて下り傾斜している。上皿４２の底面の傾斜方向下流側には、上皿４２内に貯留されたパチンコ球を１列に整列して、ベース４１の裏面に取り付けられた球送り装置４５へ誘導する整列通路４６が設けられている。
【００４０】
ベース４１によって構成された上皿４２の奥壁面における右側端部には、内枠１４の裏面に設けられた払出装置６２（図３参照）から払い出された貸し球や賞球が排出される球排出口４８が形成されている。
【００４１】
下皿４４の奥壁面における右側端部には、上皿４２に貯留しきれないパチンコ球が排出される球排出口４９が形成されている。
【００４２】
ベース４１の前面右下部には、発射装置６０と電気的に接続されて打球の発射力（飛距離）を調整する発射ハンドル５４が取り付けられている。ベース４１の前面左下部には、下皿４４に隣接して灰皿５６が設けられている。
【００４３】
また、ベース４１の前面略中央は矩形箱状に膨出しており、内部には、遊技の進行に応じて効果音を出力する重低音用のスピーカ３５（図４参照）が設けられている。スピーカ３５から出力された音は、ベース４１の前面に形成された開口部５８から出力される。
【００４４】
図２に示すように、ベース４１の裏面における略中央部には、上皿４２に貯留しきれないパチンコ球を下皿４４へ流下させる球通路７０が設けられている。
【００４５】
球通路７０は、上端部に通路入口７２が形成され、下端部に形成された通路出口は、球排出口４９と連通している。球通路７０よりも回転支軸に近い側には、球送り装置４５が取り付けられている。
【００４６】
球通路７０の内部には、球通路７０がパチンコ球で満タン状態であることを検出する満タン検出器１４０（図５参照）が設けられている。
【００４７】
また、球通路７０の内枠１４と対向する側は、アクリル等の樹脂で形成された透明な板材からなる球通路カバー１２０で覆われている。
【００４８】
球通路カバー１２０には、皿ユニット４０が内枠１４から開放されたときに、前述の満タン検出器１４０を満タン検出状態で保持する保持ユニット１００が設けられている。
【００４９】
一方、皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００５０】
貯球タンク７４は、上面が開口した箱型とされ、タンク底面が正面視にて左側から右側へ向けて下り傾斜している。
【００５１】
貯球タンク７４の底面の傾斜方向下流側となる右側の前面には、上皿４２の球排出口４８と連通したタンク出口７６が形成されている。また、貯球タンク７４の前面左側端部には、貯球タンク７４内のパチンコ球貯留量が満タンになった際にパチンコ球が溢れ出す、オーバーフロー部７８が形成されている。
【００５２】
貯球タンク７４及びオーバーフロー部７８の下側には、パチンコ機１０の本体を構成する壁部７３が形成されている。
【００５３】
図２及び図３に示すように、内枠１４の裏面における開放側（裏面視左側）の側端部には、内枠１４及びガラス枠２２を施錠するための施錠装置６４が取付けられている。
【００５４】
施錠装置６４の下側には、皿ユニット４０をロックするためのロック装置６８が取り付けられている。これにより、皿ユニット４０が内枠１４に閉塞された状態でロック装置６８でロックされ、ガラス枠２２が内枠１４に閉塞された状態で施錠装置６４で施錠されるようになっている。
【００５５】
施錠装置６４にはシリンダー錠６６が設けられており、シリンダー錠６６は、皿ユニット４０の前面右上に露出されている。
【００５６】
ここで、シリンダー錠６６の鍵孔に図示しない鍵を差し込んで開錠操作すると、外枠１２に施錠された内枠１４が開錠されて開放可能となる。また、内枠１４に施錠されたガラス枠２２が開錠されて開放可能となる。
【００５７】
さらに、ガラス枠２２を開放することで露出されるロック装置６８のロック解除レバー６９を操作すると、内枠１４にロックされていた皿ユニット４０がロック解除されて開放可能となる。
【００５８】
皿ユニット４０がロック装置６８によりロックされると、発射装置６０の前側に球送り装置４５が配置される。また、オーバーフロー部７８の前下側に球通路７０の通路入口７２が配置され、タンク出口７６及び球排出口４８を介して貯球タンク７４と上皿４２とが連通される。
【００５９】
図３に示すように、内枠１４の裏面における上部には、島設備から供給されたパチンコ球を貯留するための上タンク８０及び下タンク８２が設けられている。
【００６０】
内枠１４裏面の回転支軸側（裏面右側）の側端部には、上タンク８０及び下タンク８２に貯留されたパチンコ球を貯球タンク７４（図２参照）側へ流下させる上部球通路ユニット８４及び下部球通路ユニット８６が延設されている。
【００６１】
上部球通路ユニット８４と下部球通路ユニット８６の間には、パチンコ球を所定数ずつ払い出す払出装置６２が取り付けられている。また、下部球通路ユニット８６の下側には、発射装置６０が取付けられている。
【００６２】
発射装置６０の左側には、払出装置６２を制御してパチンコ球の払い出しを実行及び停止させる制御基板８８が設けられている。
【００６３】
制御基板８８は、払出停止制御と払出実行制御を実行可能に設けられている。
【００６４】
払出停止制御の場合、制御基板８８は、払出装置６２を駆動停止させてパチンコ球の払い出しを停止する。
【００６５】
一方、払出実行制御の場合、図１〜図３に示すように、制御基板８８は、払出装置６２を駆動させて、上タンク８０及び下タンク８２から上部球通路ユニット８４を流下し払出装置６２に誘導されたパチンコ球を、貸し球又は賞球として下部球通路ユニット８６へ払い出す。
【００６６】
そして、下部球通路ユニット８６を通り貯球タンク７４へ誘導されたパチンコ球は、貯球タンク７４内を上流側（左側）から下流側（右側）へ転動して球排出口４８から排出され、上皿４２に貯留される。
【００６７】
さらに、パチンコ球は、上皿４２内を下流側（左側）へ流下しつつ整列通路４６により１列に整列され、遊技者の発射ハンドル５４の操作により、球送り装置４５により１球ずつ発射装置６０に送り込まれる。
【００６８】
発射装置６０に送り込まれたパチンコ球は、発射装置６０によって遊技盤Ｇの遊技領域ＰＡへ発射される（図２の矢印Ａ方向）。このパチンコ球が遊技領域ＰＡを自重落下する過程で入賞又は外れとなることにより、遊技盤Ｇにてパチンコ球を用いた遊技が行われる。
【００６９】
遊技の進行に伴い、大量のパチンコ球が賞球として払い出されるなどし、上皿４２が満タンになると、上皿４２に貯留しきれないパチンコ球は貯球タンク７４に貯留される。
【００７０】
さらに貯球タンク７４が満タンになると、パチンコ球はオーバーフロー部７８から溢れ出す。この貯球タンク７４から溢れ出したパチンコ球は、通路入口７２に落下して球通路７０を流下し、球排出口４９から排出されて下皿４４に貯留される。
【００７１】
また、遊技の終了時などに、上皿４２の前面左側に設けられた球抜きレバー５０を操作すると、整列通路４６の最下流部が開放して、上皿４２に貯留されたパチンコ球が球通路７０へ排出され下皿４４へ流下する。
【００７２】
さらに、下皿４４がパチンコ球で満タンになったときや遊技の終了時などに、下皿４４の前面下側に設けられた下皿用球抜きレバー５２を操作すると、下皿底面の一部が開放して、下皿４４に貯留されたパチンコ球が下皿４４の下方に配置された図示しない球箱へ排出される。
【００７３】
一方、内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００７４】
シャッター板９０、９２は、皿ユニット４０が閉塞されると各々下方へ移動して、タンク出口７６と球排出口４８とを開放し連通させる。また、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。
【００７５】
このシャッター板９０、９２によって、皿ユニット４０を開放した際に、貯球タンク７４及び上皿４２からパチンコ球が流出しないよう塞き止められる。
【００７６】
（皿ユニットの構成）
次に、皿ユニット４０の構成について説明する。
【００７７】
図４は、皿ユニット４０を裏面側から見た状態を示している。
【００７８】
皿ユニット４０は、正面左側部（図４右側）に支持部３２が形成されている。
【００７９】
支持部３２の上面側には凹部３３が形成されており、下面側には図示しないバネの付勢力により鉛直方向に突出し、外部からの押圧力により支持部３２内に収納される支持ピン３７が設けられている。
【００８０】
一方、皿ユニット４０の正面右側部の裏面（図４左側）には、皿ユニット４０をパチンコ機１０に固定するためのロック部材３９が突設されている。
【００８１】
また、皿ユニット４０の内部の下方には、音を出力するためのスピーカ３５が設けられている。
【００８２】
パチンコ機１０の内枠１４の左側部には、支持部３２の外形と略等しい大きさの係合部３４が形成されている。
【００８３】
係合部３４には、突ピン３６が設けられている。
【００８４】
突ピン３６は、係合部３４の上端から下方に向けて突設されており、突ピン３６が支持部３２の凹部３３と係合することにより、皿ユニット４０が位置決めされる。
【００８５】
ここで、矢印Ｘ方向に皿ユニット４０をスライドさせるとともに、突ピン３６により位置決めし、係合部３４の底面と前述の支持ピン３７とを係合させることにより、皿ユニット４０が支持部３２を回転中心として、パチンコ機１０の前面で開閉可能となる。
【００８６】
一方、皿ユニット４０は、ロック部材３９が内枠１４の図示しない係止穴に係止されることにより、パチンコ機１０に固定される。
【００８７】
皿ユニット４０の背面略中央部には、前述の球通路７０を覆う球通路カバー１２０が設けられており、球通路カバー１２０には前述の保持ユニット１００が設けられている。
【００８８】
（球通路及び満タン検出器の構成）
次に、前述の球通路７０及び満タン検出器１４０の詳細について説明する。
【００８９】
図５及び図６に示すように、皿ユニット４０には、ベース４１の裏面４１Ａにおける略中央に、前述の球通路７０が設けられている。
【００９０】
球通路７０は、ベース４１の裏面４１Ａによって通路の前壁部が構成され、ベース４１の裏面４１Ａに複数本のネジ１３６Ａ〜１３６Ｅで取り付けられた球通路カバー１２０によって、通路の後壁部が構成されている。
【００９１】
球通路７０の通路入口７２付近における裏面視右側には、通路入口７２の右側に落下したパチンコ球ＰＢを球通路７０内の左下方へ誘導するリブからなる通路内誘導壁部１３０Ａが形成されている。
【００９２】
通路内誘導壁部１３０Ａの下側には、球通路７０の中流部の天井を構成するリブからなる通路内天井部１３０Ｂが形成されている。
【００９３】
通路内天井部１３０Ｂの右下端部からは、下方へ向けてリブからなる通路内側壁部１３０Ｃが形成されている。また、通路内側壁部１３０Ｃの下端部からは、左側へ向けてリブからなる通路底壁部１３０Ｄが形成されている。
【００９４】
一方、通路入口７２の裏面視左側には、横向きのＵ字状リブからなる周壁部１３０Ｅが形成されており、周壁部１３０Ｅの内側に、満タン検出器１４０が収容される収容室１３２が形成されている。
【００９５】
球通路カバー１２０における収容室１３２の下部には、横長で且つ左側から右側へ向けて少し下がるように傾斜した長孔１３４が形成されている。
【００９６】
周壁部１３０Ｅの右上端部からは、下方へ向けてＪ字状に屈曲した縦リブからなるカバー壁部１３０Ｆが形成されている。カバー壁部１３０Ｆによって、後述する球受体１５０の回動支持部１５２が囲われている。
【００９７】
周壁部１３０Ｅの右下端部からは、左側から右側へ向けて下り傾斜した傾斜リブからなる流下壁部１３０Ｇが形成されている。流下壁部１３０Ｇによって、球通路７０内に誘導されたパチンコ球ＰＢが、通路中流部から通路下流側へ流下される。さらに、流下壁部１３０Ｇの右下端部から下方へ向けて、縦リブからなる側壁部１３０Ｈが形成されている。
【００９８】
球通路７０の最下流部には、前述の球排出口４９が形成されている。
【００９９】
また、球通路７０内で球排出口４９の上方には、上皿４２（図１参照）に貯留されたパチンコ球ＰＢを球通路７０へ排出する開口からなる球抜き口１３８が形成されている。
【０１００】
球抜き口１０８から球通路７０内へ排出されたパチンコ球ＰＢは、自重で球通路７０内を落下し、下方に配置された通路底壁部１３０Ｄに当たって球排出口４９から下皿４４へと排出される。
【０１０１】
球通路７０は以上の構成とされており、収容室１３２内には、球通路７０がパチンコ球ＰＢで満タンとなったことを検出する満タン検出器１４０が設けられている。
【０１０２】
満タン検出器１４０は、球通路７０がパチンコ球ＰＢで満タンとなったときにＯＮとなる検出スイッチ１４１と、パチンコ球ＰＢで押圧されることにより時計回りに回動して検出スイッチ１４１をＯＮ状態にする球受体１５０と、で構成されている。
【０１０３】
検出スイッチ１４１は、直方体状の検出スイッチ本体１４２の一側面から押圧式のプッシュスイッチ１４４が突設されている。ここで、プッシュスイッチ１４４が検出スイッチ本体１４２へ向けて押圧されることにより、検出部１４１がＯＮ状態となる。プッシュスイッチ１４４には、板金製で片持ち状のスイッチ作動レバー１４６が当接している。
【０１０４】
また、検出スイッチ１４１は、プッシュスイッチ１４４及びスイッチ作動レバー１４６が収容室１３２の開放側となる右側（球通路７０内側）へ向けられるとともに、スイッチ作動レバー１４６の先端を左下へ向けた姿勢で収容室１３２の略中央に配置されている。そして、検出スイッチ本体１４２が、ベース４１の裏面４１Ａにネジ１４８で取り付けられて固定されている。
【０１０５】
さらに、検出スイッチ１４１は、検出スイッチ本体１４２が図示しないリード線によって前述の制御基板８８と電気的に接続されており、スイッチ作動レバー１４６を介したプッシュスイッチ１４４の押圧によるスイッチＯＮ、及び、押圧解除によるスイッチＯＦＦに応じたＯＮ／ＯＦＦ信号を制御基板８８へ出力するようになっている。
【０１０６】
一方、球受体１５０は、検出スイッチ１４１のスイッチ作動レバー１４６側に位置して、収容室１３２の開口を塞ぐように配置されている。
【０１０７】
本実施形態の球受体１５０は、合成樹脂製で、上端部に円筒状の回動支持部１５２が設けられ、回動支持部１５２の下側に、略扇形の板状に形成された球受作動部１５４が設けられている。ここで、球通路カバー１２０をベース４１に固定するネジ１３６Ｅが、回動支持部１５２に挿通されることで、球受体１５０がネジ１３６Ｅに回動自在に支持されている。
【０１０８】
球受作動部１５４の右下側（球通路７０内側）の先端部には、右下へ向けて略三角形状に突出された突起部１５６が設けられている。
【０１０９】
球受作動部１５４の右縁には、後方（図５及び図６における紙面奥行き方向の手前側）へ突出された球受リブ１５８が設けられており、突起部１５６を含む下縁には、後方へ突出された補強リブ１６０が設けられている。
【０１１０】
さらに、検出スイッチ１４１に設けられたスイッチ作動レバー１４６の先端部に対応する所定位置には、後方へ突出された検出スイッチ作動リブ１６２が設けられている。
【０１１１】
検出スイッチ作動リブ１６２は、ネジ１３６Ｅ及び回動支持部１５２の軸心と一致する回動中心に対して円弧状に形成され、回動軌跡上にスイッチ作動レバー１４６の先端部が位置するように配置されている。
【０１１２】
さらに、球受作動部１５４における検出スイッチ作動リブ１６２の下側には、検出スイッチ作動リブ１６２に沿った円弧状の長穴により構成されたストッパー孔１６６が形成されており、このストッパー孔１６６には、ベース４１の裏面に形成されたストッパーボス１６８が挿入されている。
【０１１３】
また、球受作動部１５４における左下側（検出スイッチ１４１側）の先端部には、後方へ突出された円筒状の操作部１６４が立設されている。
【０１１４】
操作部１６４は、球通路カバー１２０に形成された長孔１３４に挿通され、球通路カバー１２０の後壁部よりも後方へ突出している。
【０１１５】
ここで、球受体１５０は、図５に示すように、球受作動部１５４にパチンコ球ＰＢからの圧力が加わっていない無加重状態では、回動中心を通る垂直線Ｌ上に重心Ｇが位置して保持される。この状態での球受体１５０及び操作部１６４の位置を、非満タン検出位置とする。
【０１１６】
また、この無加重状態において、検出スイッチ作動リブ１６２が、スイッチ作動レバー１４６から所定の隙間αで離間している。これにより、球受体１５０の自重をスイッチ作動レバー１４６に作用させないように構成されている。この状態では、検出スイッチ１４１はＯＦＦとなる。
【０１１７】
一方、球受体１５０は、図６に示すように、球通路７０が満タンとなって、球受作動部１５４にパチンコ球ＰＢからの圧力が十分加わっている加重状態では、回動中心を通る垂直線Ｌ上に重心Ｇが位置していない。この状態での球受体１５０及び操作部１６４の位置を、満タン検出位置とする。
【０１１８】
また、この加重状態において、検出スイッチ作動リブ１６２がスイッチ作動レバー１４６を押圧しており、検出スイッチ１４１がＯＮ状態となる。
【０１１９】
（保持ユニットの構成）
次に、保持ユニット１００の詳細について説明する。
【０１２０】
図７及び図８に示すように、球通路カバー１２０の外側表面に、保持ユニット１００が設けられている。
【０１２１】
保持ユニット１００は、球通路カバー１２０に一対のネジ１１８で固定される固定ベース１０２と、固定ベース１０２において略水平方向に回転可能に設けられたレバー部材１０５と、レバー部材１０５を所定の方向に付勢するねじりコイルばね１０４と、を有している。
【０１２２】
固定ベース１０２は、球通路カバー１２０の表面に沿って取り付けられる板状の壁部１０２Ａと、壁部１０２Ａの両端部にネジ１１８が挿通可能な孔部（図示せず）が形成されたボス形状のネジ挿通部１０２Ｃと、壁部１０２Ａの左側下端部から内枠１４へ向けて突設された板状の支持部１０２Ｂと、で構成されている。
【０１２３】
壁部１０２Ａの端部には、上方へ向けて略円柱状の凸部１１６が突設されている。
【０１２４】
凸部１１６は、中央部に、鉄等からなる金属製のシャフト１１２が略鉛直方向に挿通可能な貫通孔（図示せず）が形成されている。シャフト１１２は、両端部近傍に周方向に沿って図示しない溝部が形成されており、この溝部に、Ｅリング１１４が係合されるようになっている。
【０１２５】
一方、レバー部材１０５は、シャフト１１２の外径と略等しい内径の貫通孔（図示せず）が形成された円筒状の軸部１０８と、軸部１０８の側面から外方向へ異なる向きに突設された第１レバー部１１０及び第２レバー部１０６とで形成されている。
【０１２６】
第１レバー部１１０は、水平方向の断面が略台形状となっており、第２レバー部１０６は、水平方向の断面が略矩形状となっている。
【０１２７】
第１レバー部１１０は、軸部１０８を中心として反時計方向に回転したときに、前述の操作部１６４（図５参照）の側面と当接可能となる位置に配置されている。また、第２レバー部１０６は、軸部１０８を中心として反時計方向に回転したときに、前述の壁部７３（図２参照）と当接可能となる位置に配置されている。
【０１２８】
第２レバー部１０６の端部には、皿ユニット４０（図２参照）が閉止されたときに前述の壁部７３（図２参照）と当接する当接部１０６Ａが形成されている。
【０１２９】
なお、本実施形態では、軸部１０８を中心として、第１レバー部１１０の軸線と第２レバー部１０６の軸線で形成される角度は略９０度としているが、該角度は、鋭角であっても鈍角であってもよい。
【０１３０】
軸部１０８の下端面は、第１レバー部１１０及び第２レバー部１０６の下端面と同じ位置となっているが、上端面は、第１レバー部１１０及び第２レバー部１０６の上端面よりも上方に位置しており、延出部（図示せず）が形成されている。この延出部に前述のねじりコイルばね１０４が外挿されるようになっている。
【０１３１】
ねじりコイルばね１０４は、一端が鉛直上方から、他端が鉛直下方から、それぞれ略水平方向に延出されており、これらの延出方向が、平面視で所定の角度を形成するように配置されている。また、それぞれの端部の先端は、所定の形状（コの字形、Ｌ字形等）に曲げられている。
【０１３２】
なお、ねじりコイルばね１０４の一端（上方）は、固定ベース１０２の凸部１１６に形成された孔部（図示せず）に差し込まれて固定されるようになっており、他端（下方）は、第１レバー部１１０の上端面に形成された孔部（図示せず）に差し込まれて固定されるようになっている。
【０１３３】
ここで、前述の凸部１１６の貫通孔に、一方端（図７の上方）にＥリング１１４が係合されたシャフト１１２が挿通される。
【０１３４】
続いて、レバー部材１０５の軸部１０８の延出部に、ねじりコイルばね１０４が外挿され、軸部１０８の貫通孔に、シャフト１１２が挿通される。
【０１３５】
続いて、シャフト１１２の他方端（図７の下方）にＥリング１１４が係合される。
【０１３６】
続いて、ねじりコイルばね１０４の一端が、凸部１１６の孔部に差し込まれて固定され、他端が、第１レバー部１１０の上端面の孔部に差し込まれて固定される。これらの固定箇所には、適宜接着剤が塗布される。
【０１３７】
続いて、球通路カバー１２０に形成された孔部（図示せず）とネジ挿通部１０２Ｃの孔部とが連通する状態で、ネジ挿通部１０２Ｃにネジ１１８が締結される。
【０１３８】
このようにして、通路カバー１２０に保持ユニット１００が取り付けられる。
【０１３９】
次に、本発明の第１実施形態の作用について説明する。
【０１４０】
まず、検出スイッチ１４１のＯＮ、ＯＦＦ動作について説明する。
【０１４１】
図１〜図４に示すように、パチンコ機１０では、遊技の進行に伴い、払出装置６２から大量のパチンコ球が賞球として払い出されるなどして、上皿４２及び貯球タンク７４のパチンコ球貯留量が増加して満タンになると、貯球タンク７４からパチンコ球ＰＢが溢れ出す。溢れ出したパチンコ球ＰＢは、皿ユニット４０（ベース４１）の裏面側に設けられた球通路７０内に通路入口７２から流入する。
【０１４２】
続いて、図５及び図６に示すように、通路入口７２から球通路７０内に流入したパチンコ球ＰＢは、通路内誘導壁部１３０Ａ及び通路内流下壁部１３０Ｇの傾斜方向に沿って概ね矢印Ｄ方向に流下し、球排出口４９から下皿４４へ排出される。
【０１４３】
ここで、下皿４４のパチンコ球貯留量が増加して満タンになると、球排出口４９はパチンコ球ＰＢで塞がれ、球通路７０内へ継続して流入したパチンコ球ＰＢが、球通路７０の下流側（球排出口４９側）から通路内流下壁部１３０Ｇに沿うように上流側へと積み上げられる。
【０１４４】
そして、通路内流下壁部１３０Ｇの上部付近までパチンコ球ＰＢが積み上げられると、続いて球通路７０内へ流入し、通路内誘導壁部１３０Ａによって左下方へ誘導されたパチンコ球ＰＢが、球受体１５０の球受作動部１５４に設けられた球受リブ１５８に順次突き当たり、球受体１５０を検出スイッチ１４１側へ押圧する。
【０１４５】
このパチンコ球ＰＢの押圧力（荷重）を受けて、球受体１５０が時計回転方向（図５の矢印Ｂ方向）へ回動すると、検出スイッチ作動リブ１６２が、満タン検出スイッチ１４１のスイッチ作動レバー１４６に当接する。
【０１４６】
さらに、パチンコ球ＰＢの押圧力を受けて、検出スイッチ本体１４２内に設けられたプッシュスイッチ１４４のばね力よりも、球受体１５０の回動力（作動力）の方が大きくなると、検出スイッチ作動リブ１６２に押圧されて、スイッチ作動レバー１４６がプッシュスイッチ１４４を検出スイッチ本体１４２内に押し込み、検出スイッチ１４１はスイッチＯＮとなる。
【０１４７】
このスイッチＯＮ状態では、検出スイッチ１４１から制御基板８８（図３参照）へＯＮ信号が入力され、制御基板８８は、払出停止制御により払出装置６２を駆動停止させてパチンコ球ＰＢの払い出しを停止させる。
【０１４８】
なお、払い出し停止中は、本来払い出されるべきパチンコ球ＰＢの数が図示しないメモリに記憶されている。これにより、満タン状態が解除され、検出スイッチがＯＦＦになると、メモリに記憶された数のパチンコ球ＰＢの払い出しが行われる。
【０１４９】
続いて、下皿用球抜きレバー５２の操作によって、下皿４４から球箱（図示せず）へのパチンコ球ＰＢの排出が行われ、下皿４４のパチンコ球貯留量が減少すると、それに伴い、球通路７０内に積み上げられていたパチンコ球ＰＢは順次、下皿４４へ排出される。
【０１５０】
そして、球受体１５０を押圧していたパチンコ球ＰＢが流下すると、球受体１５０はパチンコ球ＰＢによる押圧が解除され、重心Ｇが垂直線Ｌの左側にあることで、反時計回りのモーメントにより元の位置（図５の状態）へ復帰する。
【０１５１】
これに伴い、球受体１５０の検出スイッチ作動リブ１６２によって、スイッチ作動レバー１４６を介し押圧されていたプッシュスイッチ１４４も押圧解除される。これにより、プッシュスイッチ１４４は、ばね力で検出スイッチ本体１４２から突出しつつ、スイッチ作動レバー１４６を押し上げて元の位置（図５の状態）へ復帰し、検出スイッチ１４１はスイッチＯＦＦとなる。
【０１５２】
このスイッチＯＦＦ状態では、検出スイッチ１４１から制御基板８８へＯＦＦ信号が入力され、制御基板８８は、払出実行制御により払出装置６２を駆動させてパチンコ球ＰＢの払い出しを再開させる。これにより、パチンコ球貯留量が満タンであるか否かに応じたパチンコ球ＰＢの払い出しが行われ、上皿４２及び貯球タンク７４に下皿４４を加えた貯留許容量内での払出制御が行われる。
【０１５３】
次に、保持ユニット１００の動作について説明する。
【０１５４】
図５及び図８に示すように、皿ユニット４０がパチンコ機本体に対して閉止された状態では、第２レバー部１０６の当接部１０６Ａがパチンコ機本体の側壁７３に当接して、第１レバー部１１０を球受体１５０の操作部１６４から離れる方向へ回動させる。
【０１５５】
これにより、球受体１５０は回動可能となる。この状態で球通路７０がパチンコ球ＰＢで満タンとなると、球受体１５０はパチンコ球ＰＢに押されて満タン検出位置へ回動し、満タン検出スイッチ１４１をオンにする。
【０１５６】
一方、図６及び図９に示すように、球通路７０がパチンコ球ＰＢで満タンとなった状態において、何らかのトラブル（例えば、発射ハンドル５４による発射動作がスムーズではないとか、スピーカ３５からノイズが聞こえてくる等）が発生して、皿ユニット４０をパチンコ機本体の前面に開放する場合がある。
【０１５７】
このとき、第２レバー部１０６の当接部１０６Ａが側壁７３に当接しなくなるため、第１レバー部１１０が、ねじりコイルばね１０４の付勢力によって、シャフト１１２を中心として反時計方向に回動する。そして、第２レバー部１０６は、球受体１５０の操作部１６４を矢印＋Ｘ方向へ押圧する。
【０１５８】
操作部１６４は、長孔１３４の左側縁部がストッパーとなって移動が停止され、球受体１５０が満タン検出位置で保持される。
【０１５９】
これにより、皿ユニット４０が開放された状態では、常に満タン検出スイッチ１４１がオン状態となるので、払出装置６２（図３参照）からパチンコ球ＰＢが払い出されることがなくなり、ホール等にパチンコ球ＰＢが飛散しにくくなる。
【０１６０】
このように、皿ユニット４０が開放されたときに、簡易な構成でパチンコ球ＰＢの払い出し停止を行える。
【０１６１】
次に、本発明の第２実施形態に係る遊技機について図面を参照して説明する。なお、前述した第１実施形態と基本的に同一の部品には、前記第１実施形態と同一の符号を付与してその説明を省略する。
【０１６２】
図１０（ａ）に示すように、第２実施形態では、第１レバー部１１０の側面１１０Ａの近傍に、レバー部材１０５の当接状態を検出する当接検出スイッチ１８０が設けられている。
【０１６３】
当接検出スイッチ１８０は、球通路カバー１２０からパチンコ機本体の側壁７３へ向けて突設された支持台１８８上にネジ（図示せず）で固定されている。
【０１６４】
また、当接検出スイッチ１８０は、略直方体状のスイッチ本体１８２から第１レバー部１１０の側面１１０Ａへ向けて、プッシュスイッチ１８４が突出した構成となっている。
【０１６５】
プッシュスイッチ１８４は、球受体１５０の操作部１６４が非満タン検出位置にあるときに、第１レバー部１１０の側面１１０Ａと当接して押圧され、スイッチがＯＮとなるように配置されている。また、プッシュスイッチ１８４は、球受体１５０がパチンコ球ＰＢで押圧されて、球受体１５０の操作部１６４が満タン検出位置にあるときも、第１レバー部１１０の側面１１０Ａと当接して押圧され、スイッチＯＮとなっている。
【０１６６】
一方、プッシュスイッチ１８４は、皿ユニット４０（図２参照）が開放されて、レバー部材１０５が矢印Ｒ方向に回転すると、第１レバー部１１０の側面１１０Ａから離間するため、スイッチＯＦＦとなる。
【０１６７】
当接検出スイッチ１８０は、リード線１８６によって前述の制御基板８８に接続されている。これにより、当接検出スイッチ１８０の検出情報（ＯＮ、ＯＦＦ）が制御基板８８へ伝達されるようになっている。
【０１６８】
ここで、図１０（ｂ）に示すように、制御基板８８は、満タン検出スイッチ１４１、当接検出スイッチ１８０、払出装置６２、及びスピーカ３０Ｌ、３０Ｒに接続されている。
【０１６９】
制御基板８８は、満タン検出スイッチ１４１がＯＮで、且つ当接検出スイッチ１８０がＯＮのときに、スピーカ３０Ｌ及び３０Ｒから満タン状態を音声で告知させるようになっている。また、制御基板８８は、満タン検出スイッチ１４１がＯＮで、且つ当接検出スイッチ１８０がＯＦＦのときに、スピーカ３０Ｌ及び３０Ｒから満タン状態を音声で告知しないようにスピーカ３０Ｌ及び３０Ｒを停止させるようになっている。
【０１７０】
次に、本発明の第２実施形態の作用について説明する。
【０１７１】
図１及び図１０に示すように、皿ユニット４０が閉止されている場合、保持ユニット１００は、球受体１５０を満タン検出位置に保持しておらず、第１レバー部１１０の側面１１０Ａとプッシュスイッチ１８４とが当接し、当接検出スイッチ１８０がＯＮとなる。
【０１７２】
制御基板８８は、当接検出スイッチ１８０の検出信号（ＯＮ）に基づいて、スピーカ３０Ｌ及び３０Ｒを動作可能とする。
【０１７３】
ここで、球通路７０（図２参照）が満タン状態となると、球受体１５０が満タン検出位置に回動し、満タン検出スイッチ１４１（図６参照）がＯＮとなって、スピーカ３０Ｌ及び３０Ｒから遊技者へ、下皿４４の球抜きを行うようにアナウンスされる。
【０１７４】
一方、球通路７０が満タン状態で、何らかのトラブルにより皿ユニット４０を開放する場合、保持ユニット１００が球受体１５０を満タン検出位置に保持する。
【０１７５】
このとき、第１レバー１１０の側面１１０Ａがプッシュスイッチ１８４から離間するため、当接検出スイッチ１８０がこれを検出して制御基板８８へ伝達する。そして、制御基板８８が、当接検出スイッチ１８０の検出情報（ＯＦＦ）に基づいて、スピーカ３０Ｌ及び３０Ｒを停止する。
【０１７６】
これにより、皿ユニット４０が開放された状態で、満タン状態が遊技者に知らされることがなくなるので、遊技者が誤って下皿４４を開放することがなくなり、パチンコ球ＰＢの飛散を防ぐことができる。また、皿ユニット４０を開放して作業しているときにスピーカ３０Ｌ、３０Ｒから音声が出ないため、静かに作業できる。
【０１７７】
なお、本発明は上記の実施形態に限定されない。
【０１７８】
球受体１５０を回動変位させるよう構成しているが、スライド変位させるよう構成してもよい。
【０１７９】
第１レバー１１０は、略台形だけでなく、矩形状や、くさび形状であってもよい。
【０１８０】
第２レバー部材１０６の当接部１０６Ａの代わりに、第２レバー部材１０６の側面全体を側壁７３に当接させるようにしてもよい。また、レバー部材１０５に替えて、カム部材でもよい。
【０１８１】
ねじりコイルばね１０４の一端を凸部１１６の孔部に固定し、他端を第２レバー部１０６に固定してもよい。
【０１８２】
満タン検出時の球抜きのアナウンスは、スピーカ３０Ｌ、３０Ｒだけでなく、スピーカ３５を用いてもよい。
【図面の簡単な説明】
【０１８３】
【図１】本発明の第１実施形態に係るパチンコ機の斜視図である。
【図２】本発明の第１実施形態に係るパチンコ機のガラス枠及び皿ユニットが開放された状態を示す斜視図である。
【図３】本発明の第１実施形態に係るパチンコ機を裏面から見た斜視図である。
【図４】本発明の第１実施形態に係る皿ユニットの背面図である。
【図５】本発明の第１実施形態に係る皿ユニットに設けられた球通路及び満タン検出器を示す拡大背面図である。
【図６】本発明の第１実施形態に係る皿ユニットに設けられた球通路及び満タン検出状態の満タン検出器を示す拡大背面図である。
【図７】本発明の第１実施形態に係る保持ユニットの斜視図である。
【図８】本発明の第１実施形態に係る保持ユニットの正面図及び断面図である。
【図９】本発明の第１実施形態に係る保持ユニットの満タン検出位置保持状態の正面図及び断面図である。
【図１０】（ａ）本発明の第２実施形態に係る保持ユニット及び当接検出スイッチの断面図である。（ｂ）本発明の第２実施形態に係る制御基板への接続状態を示すブロック図である。
【符号の説明】
【０１８４】
１０  パチンコ機（遊技機）
１４  内枠（遊技機本体）
３０Ｌ  スピーカ（満タン告知手段）
３０Ｒ  スピーカ（満タン告知手段）
４０  皿ユニット（皿ユニット）
４２  上皿（上皿）
４４  下皿（下皿）
６２  払出装置（球払出手段）
７０  球通路（球通路）
８８  制御基板（制御手段）
１００  保持ユニット（保持手段）
１０４  ねじりコイルばね（バネ部材、保持手段）
１０５  レバー部材（回動部、保持手段）
１０６  第２レバー部（第２アーム、保持手段）
１１０  第１レバー部（第１アーム、保持手段）
１４０  満タン検出器（検出手段）
１４１  満タン検出スイッチ（スイッチ、検出手段）
１５０  球受体（回動部材、検出手段）
１６４  操作部（操作部）
１８０  当接検出スイッチ（伝達手段）
Ｇ  遊技盤（遊技盤）
ＰＢ  パチンコ球（遊技球）
【図１】
2008246124.tif 000003
【図２】
2008246124.tif 000004
【図３】
2008246124.tif 000005
【図４】
2008246124.tif 000006
【図５】
2008246124.tif 000007
【図６】
2008246124.tif 000008
【図７】
2008246124.tif 000009
【図８】
2008246124.tif 000010
【図９】
2008246124.tif 000011
【図１０】
2008246124.tif 000012